(57)【要約】【課題】長尺埋設管を効率よく地中に埋設することができ、従来では不可能であった長尺埋設管を推進ジャッキの伸縮とピンの差し替えの繰り返しにより、連続的に長尺管を地中に埋設することを可能にした管埋設機を開発・提供することにある。【解決手段】  埋設管の埋設推進装置において、埋設管Ｘの埋設方向に向け、複数の架台を、順次、接続して延長する延長架台２を設け、該延長架台２の埋設方向両側には、それぞれ、推進シリンダー５を設け、これら推進シリンダー５の一方には、長尺の反力プレート１を組み込み、もう一方の他端は反力プレート１を組み込み、もう一方の他端は、延長架台に固定されたブラケット７に締結し、前記推進シリンダー５により、埋設方向に押し込むための埋設管Ｘの背部には、押板６を設け、該押板６の背部には、推進シリンダー５と、あるいは、反力プレート１と一時固定するための押しピン４を設けたことを特徴とする。【選択図】  図１
2016023524.tif 000002
【特許請求の範囲】
【請求項１】
埋設管の埋設推進装置において、
埋設管（Ｘ）の埋設方向に向け、長尺の延長架台（２）を敷設し、
該延長架台（２）の埋設方向両側には、それぞれ、推進シリンダー（５）を設け、
これら推進シリンダー（５）の一方には、長尺の反力プレート（１）を組み込み、
もう一方の他端は、延長架台（２）に固定されたブラケット（７）に締結され、
前記推進シリンダー（５）により、埋設方向に押し込むための埋設管（Ｘ）の背部には、押板（６）を設け、
該押板（６）の背部には、推進シリンダー（５）と、あるいは、反力プレート（１）と一時固定するための押しピン（４）を設けた
ことを特徴とする埋設管の埋設推進装置。
【請求項２】
長尺の反力プレート（１）には、前記推進シリンダー（５）のストローク長（α）の寸法毎に、差し込み部（ａ）を、それぞれ有することを特徴とする請求項１記載の埋設管の埋設推進装置。
【請求項３】
長尺の反力プレート（１）の長さ寸法は、埋設管の埋設予定寸法であることを特徴とする請求項１または２記載の埋設管の埋設推進装置。
【請求項４】
押板（６）には、左右に、推進シリンダー（５）と、反力プレート（１）とを挿通する通穴（ｂ）をそれぞれ形成することを特徴とする請求項１記載の埋設管の埋設推進装置。
【発明の詳細な説明】
【技術分野】
【０００１】
この発明は、埋設管の埋設推進装置に関するものである。
【背景技術】
【０００２】
従来、地中に上・下水道、ガス、電話、電力等の配管やケーブル等の供給のため、埋設管を設置する際には埋設機を使用して工事をしている。
【０００３】
そして、従来の埋設機は、推進シリンダーのストローク長で制約される埋設機がほとんどである。このため、長尺埋設管を埋設する場合には、先導管の後部にダミー管を挿入し、埋設管の長さに必要な数だけのダミー管を押し切った後、埋設管を設置して地中に埋設する必要があった。
【０００４】
しかし、長尺寸法に合わせた個数のストラットを挿入する際、個数に相当する埋設のための段取り〔準備作業（各種ホース・ケーブル類の組み込み等）〕が必要であり、そのため、長尺寸法に合わせた個数のダミー管、又はストラットを挿入することにより、その都度、先導管による埋設推進作業が中断され、連続推進が困難となるという欠点があった。  
【０００５】
また、長尺埋設管を埋設するためストラットの個数に相当する段取り（各種ホース・ケーブル類の組み込み）が必要なため、実推進以外の準備工数、即ち，無駄工数が多く発生するという欠点もあった。
【０００６】
さらに、ストラットの個数に相当する段取りをその都度行なうために、連続推進作業が不可能であり、バッチ処理となり作業員の動きも非効率の状態となってしまうという欠点もあった。また、管埋設機としては特許文献１がある。
【先行技術文献】
【特許文献】
【０００７】
【特許文献１】特開平９−２１２９３号公報
【発明の開示】
【発明が解決しようとする課題】
【０００８】
そこで、この発明が解決しようとする課題は、長尺埋設管を効率よく地中に埋設することができ、従来では不可能であった長尺埋設管を推進ジャッキの伸縮とピンの差し替えの繰り返しにより、連続的に長尺管を地中に埋設することを可能にした管埋設機を開発・提供することにある。
【課題を解決するための手段】
【０００９】
本発明の埋設管の埋設推進装置は、
埋設管の埋設推進装置において、
埋設管の埋設方向に向け、複数の架台を、順次、接続して延長する延長架台を設け、
該延長架台の埋設方向両側には、それぞれ、推進シリンダーを設け、
これら推進シリンダーの一方には、長尺の反力プレートを組み込み、
もう一方の他端は延長架台に固定されたブラケットに締結されている、
ことを特徴とする。
【００１０】
また、長尺反力プレートには、前記推進シリンダーのストローク長の寸法毎に、差し込み部を、それぞれ有することが好ましい。
【００１１】
さらに、押板には、左右に、推進シリンダーと、反力プレートとを挿通する通穴をそれぞれ形成してもよい。
【発明の効果】
【００１２】
この発明によると、長尺埋設管を推進シリンダーの伸縮とピンの差替えによって、連続的に効率よくスピーディーに埋設可能とし、しかも段取り時間（推進以外の管セットに要する時間）を大幅に短縮でき、管埋設の日進量を大幅に工場させることが可能となる等の極めて有益なる効果を奏する。
【図面の簡単な説明】
【００１３】
【図１】この発明の一実施例を示す側面図である。
【図２】この発明に使用する長尺の反力プレートの一部を示す平面図である。
【図３】この発明の一実施例を示し、（Ａ）は、一部欠截分解斜視図であり、（Ｂ）は、この発明に使用する押しピンの斜視図であり、（Ｃ）は、推進シリンダーの一部欠截拡大斜視図である。
【図４】従来例を示す説明図である。
【発明を実施するための形態】
【００１４】
以下、本発明について詳細に説明する。この発明は、既存の管埋設機の架台を延長し、長尺の反力プレートを加えることにより、従来では不可能であった長尺埋設管を、推進シリンダーの伸縮と、押しピンの差し替えの繰り返しにより、連続的に長尺管を地中に埋設することを可能にした埋設管の埋設推進装置である。
尚、この発明において以下の記述に限定されるものではなく、この発明の要旨を逸脱しない範囲においては適宜変更可能である。
【実施例】
【００１５】
先ず、本願発明の一実施例を図面に基づいて詳述すると、埋設管の埋設推進装置において、埋設管（Ｘ）の埋設方向に向け、長尺の延長架台（２）を敷設し、該延長架台（２）の埋設方向両側には、それぞれ、推進シリンダー（５）を設け、これら推進シリンダー（５）の一方には、長尺の反力プレート（１）を組み込み、もう一方の他端は、延長架台（２）に固定されたブラケット（７）に締結され、前記推進シリンダー（５）により、埋設方向に押し込むための埋設管（Ｘ）の背部には、押板（６）を設け、該押板（６）の背部には、推進シリンダー（５）と、あるいは、反力プレート（１）と一時固定するための押しピン（４）を設けたことを特徴とする埋設管の埋設推進装置から構成される。
【００１６】
尚、延長架台（２）は、埋設管（Ｘ）長以上に設け、また、前記推進シリンダー（５）は、埋設管（Ｘ）の埋設方向に向って、延長架台（２）の左・右両側の上・下に２本づつ設けられており、それに従って、長尺の反力プレート（１）は、それぞれ上・下の推進シリンダー（５）の他端に挟まれ、ピンを介して一体に組み込まれたものである。
【００１７】
左右のそれぞれ長尺の反力プレート（１）には、前記推進シリンダー（５）のストローク長（α）の寸法置きに、押しピン（４）と係合するための差し込み部（ａ）を、それぞれ両側に形成するものである。
【００１８】
また、長尺の反力プレート（１）の長さ寸法は、埋設管（Ｘ）の埋設工事予定寸法以上であればよい。
【００１９】
さらに、押板（６）には、図３（Ａ）に示すように、左右両側付近に、推進シリンダー（５）と、反力プレート（１）とが挿通する通穴（ｂ）をそれぞれ形成すると共に、該押板（６）の背部には、該押板（６）と一体に移動する先導管の駆動源装置（３）を設けている。しかし、前記通穴（ｂ）や、該駆動源装置（３）は、図面に示した形状に限定されることはない。
【００２０】
次に、この発明の作動について、説明すると、図１に示すように、先ず、最後端部位置（Ａ）の押板（６）の背部に押しピン（４）を挿入し、推進シリンダー（５）を伸ばして、該推進シリンダー（５）のストローク長（α）の位置（Ｂ）まで埋設管（Ｘ）を押板（６）を介して埋設方向に押し込む。
【００２１】
そして、押しピン（４）を外して、長尺の反力プレート（１）と一緒に推進シリンダー（５）を最初の位置（Ａ）まで引き下げる。
【００２２】
次に、位置（Ｂ）に残った押板（６）の後部に押しピン（４）を、反力プレート（１）の差し込み部（ａ）に挿入し、推進シリンダー（５）を伸ばして、埋設管（Ｘ）を位置（Ｃ）まで押し込む。
【００２３】
上記の動作を繰り返すことにより、長尺の反力プレート（１）に、押しピン（４）の差し替えだけで長尺埋設管（Ｘ）を連続的に押し切ることが可能である。
【００２４】
また、長尺埋設管（Ｘ）を、推進シリンダー（５）のストローク長（α）の伸縮を繰り返して行なうことにより、位置（Ｎ−２）、位置（Ｎ−１）と繰り返し、埋設予定の位置（Ｎ）まで押し切ることができる。
【００２５】
このように、一回の段取り時間で長尺埋設管（Ｘ）を連続的に押し切ることが可能なため、実推進に関係のない段取り時間を１回で済ますことができ、従来工法のようにダミー管を使用する都度、段取り時間をかける無駄を大幅に削減でき、効率的でしかも実推進時間を長くとることが可能で、日進量の大幅な向上に繋がることになる。
【００２６】
さらに、本埋設機を用い、反力プレート（１）を無限に長くすることにより、現状のストローク長（α）のシリンダーで無限の長さの長尺埋設管（Ｘ）を地中に埋設することが可能である。
【産業上の利用可能性】
【００２７】
この発明の長尺埋設管の埋設推進装置の技術を確立し、実施することにより産業上利用可能性があるものである。
【符号の説明】
【００２８】
１  反力プレート
２  延長架台
３  駆動源装置
４  押しピン
５  推進シリンダー
６  押板
７  ブラケット
α  ストローク長
ａ  差し込み部
ｂ  通穴
Ａ  最後端部位置
Ｂ  推進シリンダーのワン・ストローク長の位置
Ｃ  推進シリンダーのツー・ストローク長の位置
Ｎ，Ｎ−１，Ｎ−２  ストローク長の位置
Ｘ  埋設管
【図１】
2016023524.tif 000003
【図２】
2016023524.tif 000004
【図３】
2016023524.tif 000005
【図４】
2016023524.tif 000006